(57)【要約】【課題】  トーションスプリングとスパイラルロッドを使用したバランサー装置において、回転ガイドの変形を防止してスパイラルロッドの移動を軽快にする。【解決手段】  ケース（６）の先端に回転可能に設けられた回転ガイド（８）の外周には、トーションスプリング（１１）の一端が連結されている。この回転ガイド（８）に設けたスリット（１０）には、スパイラルロッド（９）が螺合状態で貫通している。スパイラルロッド（９）が長手方向に移動すると、上記トーションスプリング（１１）は巻き込まれたり、巻き戻される。上記回転ガイド（８）は、スリット部分が潤滑性のある滑動部（２２）で形成され、上記トーションスプリング（１１）の連結部分は剛性のある耐圧部（２３）で形成されている。回転ガイドは、トーションスプリングが巻き込まれて内径が小さくなっても変形しない。【選択図】      図４
2006214216.tif 000002
【特許請求の範囲】
【請求項１】
筒状のケースと、該ケースの先端側に回転可能に設けられ螺条を形成したスリットを有する筒状の回転ガイドと、一端がケースに固定され他端が上記回転ガイドの外周に連結されたトーションスプリングと、上記回転ガイドのスリットに螺合状態で貫通し先端が上記ケースの外方に突出するスパイラルロッドを具備し、上記ケース若しくはスパイラルロッドを長手方向に移動して上記回転ガイドを回転し上記トーションスプリングの巻き込み量を変えて上記スパイラルロッドに作用する荷重とバランスさせるようにしたバランサー装置において、上記回転ガイドのスリット部分に潤滑性を有する滑動部を形成し、上記トーションスプリングの連結部分に剛性を有する耐圧部を形成したことを特徴とするバランサー装置。
【請求項２】
上記回転ガイドを潤滑性を有するプラスチック材料で形成して上記滑動部を設け、トーションスプリングの連結部分に剛性材料で構成した補強リングを嵌着して上記耐圧部を設けたことを特徴とする請求項１に記載のバランサー装置。
【請求項３】
上記回転ガイドのスリットを含む基質部を潤滑性を有するプラスチック材料で形成して上記滑動部を設け、該基質部の内面若しくは外面に２色成形またはインサート成形の要領により剛性を有する硬質部を一体的に形成してトーションスプリングを連結する上記耐圧部を設けたことを特徴とする請求項１に記載のバランサー装置。
【発明の詳細な説明】
【技術分野】
【０００１】
本発明は、上げ下げ障子等に好適に使用されているように障子等の可動体の重量とバランスする保持力を生じさせることにより該可動体を軽く移動させたり、任意の位置に停止させたりできるようにしたバランサー装置に関する。
【背景技術】
【０００２】
上げ下げ障子等においては、障子を軽く開閉したり、任意の開口位置で障子を保持できるようにしたバランサー装置が用いられている。この種のバランサー装置としては、渦巻きばねを使用した装置やトーションスプリングを使用した装置が知られているが、渦巻きばね方式は、重さに対する適応範囲が狭く、多種の重量の障子等に対応させるためには、多種類の機種が必要となっている。
【０００３】
トーションスプリングを使用した装置は、筒状のケースと、該ケースの先端側に回転可能に設けられ螺条を形成したスリットを有する筒状の回転ガイドと、一端がケースに固定され他端が上記回転ガイドの外周に連結されたトーションスプリングと、上記回転ガイドのスリットに螺合状態で貫通し先端が上記ケースの外方に突出するスパイラルロッドを具備し、通常はケースの後端を上げ下げ障子の窓枠に取り付け、スパイラルロッドの先端を障子に連結している（例えば、特許文献１参照）。そして、障子を開閉すると、ケースからスパイラルロッドは引き出（前進）されたり、引き込（後退）まれたりするから、上記回転ガイドが回転し、該回転ガイドに連結した上記トーションスプリングは巻き込まれたり、巻き戻されたりして巻き込み量が変化し、スパイラルロッドに作用する荷重とバランスするよう構成されている。
【０００４】
上述のようにトーションスプリングは、障子の開閉に伴って、巻き込まれたり、巻き戻されたりするので、トーションスプリングの内径は縮径されたり、拡径されたりする。一方、上記回転ガイドは、スリット部分で上記スパイラルロッドと螺合しているから、螺合部分での摺動抵抗を小さくするため、プラスチック材料で形成することが多く、上記トーションスプリングは、内径が拡大しても上記回転ガイドから外れないよう該回転ガイドの外周に強く巻き付けた状態で連絡されている。したがって、トーションスプリングの内径が縮径するときには、上記回転ガイドの巻き付け部分は、さらに半径方向に大きな力で押圧され、変形するおそれがある。そのような変形を生じると、スパイラルロッドが変形部分に接触し、摺動抵抗が大きくなって障子を軽く開閉できなくなることがあり、問題となっていた。
【特許文献１】実公昭５８−１９２４４号公報（第１図、第２図、第５図）
【発明の開示】
【発明が解決しようとする課題】
【０００５】
本発明の解決課題は、上記のようにトーションスプリングを使用したバランサー装置において、該トーションスプリングを連結した回転ガイドが変形しないようにし、軽く操作できるようにしたバランサー装置を提供することである。
【課題を解決するための手段】
【０００６】
本発明によれば、筒状のケースと、該ケースの先端側に回転可能に設けられ螺条を形成したスリットを有する筒状の回転ガイドと、一端がケースに固定され他端が上記回転ガイドの外周に連結されたトーションスプリングと、上記回転ガイドのスリットに螺合状態で貫通し先端が上記ケースの外方に突出するスパイラルロッドを具備し、上記ケース若しくはスパイラルロッドを長手方向に移動して上記回転ガイドを回転し上記トーションスプリングの巻き込み量を変えて上記スパイラルロッドに作用する荷重とバランスさせるようにしたバランサー装置において、上記回転ガイドのスリット部分に潤滑性を有する滑動部を形成し、上記トーションスプリングの連結部分に剛性を有する耐圧部を形成したことを特徴とするバランサー装置が提供され、上記課題が解決される。
【０００７】
また、本発明によれば、上記回転ガイドを潤滑性を有するプラスチック材料で形成して上記滑動部とし、上記トーションスプリングの連結部分に剛性材料で形成した補強リングを嵌着して耐圧部を設けたり、回転ガイドのスリットを含む基質部を潤滑性を有するプラスチック材料で形成して滑動部とし、該基質部の内面若しくは外面に２色成形またはインサート成形の要領により硬質部を一体的に形成しトーションスプリングを連結する耐圧部を設けた上記バランサー装置が提供される。
【発明の効果】
【０００８】
本発明は上記のように構成され、トーションスプリングの一端を固定する回転ガイドは、スパイラルロッドと螺合するスリット部分に潤滑性を有する滑動部が形成され、上記トーションスプリングを連結する部分に剛性のある耐圧部が形成されているから、スパイラルロッドとケースが長手方向に相対的に移動する際、滑動部によりスパイラルロッドの摺動抵抗を少なくできると共に上記トーションスプリングが巻き込まれその内径が縮径しても耐圧部で変形を防止でき、そのため従来のようにスパイラルロッドが回転ガイドに生じた変形部に接触するという事態を避けることができ、スパイラルロッドを少ない摺動抵抗で軽快に移動させることが可能である。また、上記耐圧部を補強リングで構成すれば、所望の強度の耐圧部を簡単で形成することができ、基質部の硬質部を２色成形またはインサート成形の要領に形成して滑動部と耐圧部を一体的に設ければ、製造が容易で耐久性のある構造が得られる。
【発明を実施するための最良の形態】
【０００９】
本発明のバランサー装置は、各種の開閉機構、上げ下げ機構その他の適宜の機構の適所に採用することができるが、図１、図２は上げ下げ障子に適用した実施例が示されている。図において、窓枠（１）内に設けられた障子（２）は、縦枠（３）に沿って上下動可能に設けられ、図１に示すように開口位置に移動したり、図２に示すように閉鎖位置に移動する。この障子（２）の荷重とバランスするよう上記縦枠（３）には、障子（２）を保持するバランサー装置（４）が設けられている。
【００１０】
該バランサー装置（４）は、図３に示すように、上記縦枠（３）にピン（５）等で取り付けられる筒状のケース（６）を有し、該ケース（６）の外面には適宜のカバー（７）が設けられている。該ケース（６）の先端には回転可能に回転ガイド（８）が設けられている。該回転ガイド（８）はスパイラルロッド（９）が螺合状態で貫通するよう螺条を形成したスリット（１０）とトーションスプリング（１１）の一端が外周に巻回状態で連結される連結部分（１２）を有する筒状に形成され、先端側に設けた段部（１３）と突起（１４）で上記ケース（６）のフランジ（１５）及び座金（１６）、（１７）を挟着している。
【００１１】
上記トーションスプリング（１１）の他端は、上記ケース（６）に設けたアンカー（１８）の外周に連結されている。この構成により、上記回転ガイド（８）が回転すると、その回転方向に応じて上記トーションスプリング（１１）は巻き込まれたり、巻き戻されたりして巻き込み量が変化する。
【００１２】
上記スパイラルロッド（９）は、リードの大きいねじ部（１９）を有し、一般に金属材料製の平板材料をねじって形成され、所望により長手方向に沿ってピッチを変化させることもできる。該スパイラルロッド（９）は、後端に抜け止め用のピン（２０）を有し、上記ケース（６）の外方に突出する先端には上記障子（２）に連結するための取付ピン（２１）がある。なお、取付ピン（２１）と障子（２）の間には、トーションスプリング（１１）の巻き込み量を調整する調整機構その他の部材が設けられるが、それらの構成は、本発明の要旨ではないので、説明を省略する。
【００１３】
上記の構成により、障子（２）を開閉すると、上記スパイラルロッド（９）は長手方向に移動してケース（６）から引き出されたり、引き込まれたりするから、上記回転ガイド（８）が回転し、上記トーションスプリング（１１）は巻き込まれたり、巻き戻されたりして、公知のようにスパイラルロッドに作用する荷重とバランスさせ、障子を軽く開閉したり、任意の位置で停止させることができる。
【００１４】
而して、上記スパイラルロッド（９）は、好ましくは金属材料で作られているが、上記回転ガイド（８）は、上記スパイラルロッド（９）が挿通するスリット（１０）部分と上記トーションスプリング（１１）を連結する連結部分（１２）の構造、材質等が相違している。すなわち、上記スリット部分は、潤滑性を有する滑動部（２２）で形成され、上記トーションスプリングの連結部分は剛性を有する耐圧部（２３）で形成されている。
【００１５】
上記滑動部（２２）と耐圧部（２３）は、種々に構成することができ、図５、図６に示す実施例では、回転ガイド（８）を潤滑性を有するポリアセタール、ポリアミドその他適宜のプラスチック材料で作って滑動部（２２）を構成し、該滑動部とは別体に金属材料、セラミックス材料、エンジニアプラスチック材料等の剛性を有する材料で補強リング（２４）を形成し、該補強リング（２４）を回転ガイドの外周若しくは図示するように内周に嵌着して耐圧部（２３）としてある。該補強リング（２４）は回転ガイドの後部に圧入してあるが、接着したり、ビス等で止着してもよい。
【００１６】
図７に示す実施例では、上記スリットを含む基質部（２５）を潤滑性を有するプラスチック材料で形成して滑動部（２２）を設け、該基質部（２５）を型として該基質部（２５）の内面若しくは図に示すように外面に２色成形またはインサート成形の要領により剛性を有する硬質部（２６）を一体的に形成して耐圧部（２３）を設けている。該基質部（２５）と硬質部（２６）の接合面は、同系のプラスチック材料や溶着しやすいプラスチック材料同志の場合は平面状でよいが、溶着しにくい場合は、凹凸等の粗面に形成すればよい。
【００１７】
上記のように回転ガイド（８）のスリット（１０）部分に滑動部（２２）を設け、トーションスプリング（１１）の連結部分（１２）に耐圧部（２３）を設けると、上記トーションスプリング（１１）が巻き込まれて内径が縮径しても、上記耐圧部（２３）が変形に耐え、スパイラルロッド（９）に摺接するような変形が回転ガイドに生じないようにできるので、上記スパイラルロッドは軽く摺動し、障子（２）を軽く開閉することができる。
【００１８】
上記実施例においては、スパイラルロッドが長手方向に移動するようにしたが、用途等によっては、ケースが長手方向に移動するようにしてもよい。
【図面の簡単な説明】
【００１９】
【図１】本発明の一実施例を示し、障子を開けた状態の正面図。
【図２】障子を閉鎖した状態の正面図。
【図３】バランサー装置の一部省略断面図。
【図４】主として回転ガイド部分の拡大断面図。
【図５】回転ガイドの正面図。
【図６】回転ガイドの半断面図。
【図７】回転ガイドの他の実施例を示す半断面図。
【符号の説明】
【００２０】
２    障子
４    バランサー装置
６    ケース
８    回転ガイド
９    スパイラルロッド
１０    スリット
１１    トーションスプリング
２２    滑動部
２３    耐圧部
２４    補強リング
【図１】
2006214216.tif 000003
【図２】
2006214216.tif 000004
【図３】
2006214216.tif 000005
【図４】
2006214216.tif 000006
【図５】
2006214216.tif 000007
【図６】
2006214216.tif 000008
【図７】
2006214216.tif 000009